(57)【要約】【課題】高さを容易に変更して堅固に再包装でき、物品を簡単に取り出せるようにする。【解決手段】一対の側板１とこれに対して直角をなす一対の側板２とから周壁を形成し、各側板１，２から蓋フラップ６，７を延出し、各側板１，２に蓋フラップ６，７の基端の蓋折線８から下方へ間隔をあけて側折線９を設け、側板１，２の側折線９より上方を起伏部１ａ，２ａとし、隣接する側板１，２の起伏部１ａ，２ａの境界に切込１２を入れ、蓋フラップ６，７を蓋折線８を軸として折り曲げた通常包装状態と、側板１，２の起伏部１ａ，２ａ及び蓋フラップ６，７を側折線９を軸として折り曲げた低縮包装状態とを選択可能とし、少なくともいずれか一対の側板１，２の側折線９を、両端部で交わり中央部で間隔が広くなるように上下に分離させて面取部１０を形成し、面取部１０の中央部分に縦切目１１を入れ、側折線９での折り曲げにより面取部１０を傾斜させる。【選択図】図３
2009102024.tif 000002
【特許請求の範囲】
【請求項１】
一対の側板(1)とこれに対して直角をなす一対の側板(2)とから周壁を形成し、各側板(1,2)から蓋フラップ(6,7)を延出し、各側板(1,2)に蓋フラップ(6,7)の基端の蓋折線(8)から下方へ間隔をあけて側折線(9)を設け、側板(1,2)の側折線(9)より上方を起伏部(1a,2a)とし、隣接する側板(1,2)の起伏部(1a,2a)の境界に切込(12)を入れ、蓋フラップ(6,7)を蓋折線(8)を軸として折り曲げた通常包装状態と、側板(1,2)の起伏部(1a,2a)及び蓋フラップ(6,7)を側折線(9)を軸として折り曲げた低縮包装状態とを選択可能とした高さ可変箱において、
前記少なくともいずれか一対の側板(1.2)の側折線(9)を、両端部で交わり中央部で間隔が広くなるように上下に分離させて、側折線(9)に挟まれた部分を面取部(10)とし、面取部(10)の中央部分に縦切目(11)を入れ、側折線(9)での折り曲げにより面取部(10)が傾斜するようにしたことを特徴とする高さ可変箱。
【発明の詳細な説明】
【技術分野】
【０００１】
この発明は、多種の物品を取り扱う通信販売や宅配業界において使用され、収納する物品の高さや量に応じて高さ方向の寸法を変えられる高さ可変箱に関するものである。
【背景技術】
【０００２】
従来より、図６及び図７に示すように、一対の側板５１とこれに対して直角をなす一対の側板５２とから周壁を形成し、各側板５１，５２から蓋フラップ５３，５４を延出した溝切型段ボール箱を基本とする高さ可変箱が知られている。
【０００３】
この箱では、各側板５１，５２に蓋フラップ５３，５４の基端の蓋折線５５から下方へ間隔をあけて側折線５６が設けられ、側板５１，５２の側折線５６より上方が起伏部５１ａ，５２ａとされて、隣接する側板５１，５２の起伏部５１ａ，５２ａの境界に切込５７が入れられている。
【０００４】
そして、図６に示すように、収納する物品の高さや量に応じて、蓋フラップ５３，５４を蓋折線５５を軸として折り曲げた通常包装状態と、図７に示すように、側板５１，５２の起伏部５１ａ，５２ａ及び蓋フラップ５３，５４を側折線５６を軸として折り曲げた低縮包装状態とを選択することができる（下記特許文献１参照）。
【０００５】
【特許文献１】特開平９−１５６６３１号公報
【発明の開示】
【発明が解決しようとする課題】
【０００６】
しかしながら、上記のような高さ可変箱では、一旦低縮包装状態とすると、側折線５６に折癖がつき、収納する物品の追加等に伴い、通常包装状態で包装しなおす場合、包装しにくく、包装状態が不安定になるという問題がある。
【０００７】
また、包装状態から開封し、収納した物品を取り出す際、物品と側板５１，５２との間に手が入らず、物品を取り出しにくい場合もある。
【０００８】
そこで、この発明は、高さを容易に変更して堅固に再包装でき、物品を簡単に取り出せる高さ可変箱を提供することを課題とする。
【課題を解決するための手段】
【０００９】
上記課題を解決するため、この発明は、一対の側板とこれに対して直角をなす一対の側板とから周壁を形成し、各側板から蓋フラップを延出し、各側板に蓋フラップの基端の蓋折線から下方へ間隔をあけて側折線を設け、側板の側折線より上方を起伏部とし、隣接する側板の起伏部の境界に切込を入れ、蓋フラップを蓋折線を軸として折り曲げた通常包装状態と、側板の起伏部及び蓋フラップを側折線を軸として折り曲げた低縮包装状態とを選択可能とした高さ可変箱において、前記少なくともいずれか一対の側板の側折線を、両端部で交わり中央部で間隔が広くなるように上下に分離させて、側折線に挟まれた部分を面取部とし、面取部の中央部分に縦切目を入れ、側折線での折り曲げにより面取部が傾斜するようにしたのである。
【発明の効果】
【００１０】
この発明に係る高さ可変箱では、サイズの異なる箱を用意することなく、多様な高さや量の物品を包装することができ、一旦低縮包装状態とした後、通常包装状態で包装しなおす場合においても、面取部を有する側板が側折線で折り曲げられた状態から復元し、平面となって直立するので、手で矯正することなく、通常包装状態で容易かつ堅固に包装することができる。
【００１１】
また、開封して物品を取り出す際、蓋フラップ及び側板の起伏部を開くと、面取部が外側へ傾斜し、物品と側板との間に隙間ができるので、その隙間から手を入れて、物品を容易に取り出すことができる。
【発明を実施するための最良の形態】
【００１２】
以下、この発明の実施形態を添付図面に基づいて説明する。
【００１３】
図１に示すように、この高さ可変箱の段ボール製ブランクでは、幅の広い一対の側板１と、幅の狭い一対の側板２とが交互に連設され、一方の側板１の外側には継代片３が連設されている。側板１，２の下端には底フラップ４，５が、上端には蓋フラップ６，７それぞれ連設されている。
【００１４】
蓋フラップ６，７の基端は、押罫の蓋折線８とされ、側板１，２には、蓋折線８の下方へ間隔をあけて押罫の側折線９が設けられている。また、継代片３にも、側折線９の延長部が設けられている。
【００１５】
側折線９は、両端部で交わり中央部で間隔が広くなるように折線状に上下に分離し、側折線９に挟まれた部分は菱形の面取部１０とされている。面取部１０の上下幅が最も広くなる中央部分には、段ボールの厚さ方向に貫通する縦切目１１が入れられている。
【００１６】
側板１，２の側折線９より上方は、起伏部１ａ，２ａとされ、隣接する側板１，２の起伏部１ａ，２ａの境界には、切込１２が入れられている。切込１２の位置は、その下方の罫線からずらされ、起伏部２ａが側方へ張り出すようになっている。
【００１７】
このようなブランクを組み立てて、通常包装状態で物品を包装する際には、図２に示すように、各一対の側板１，２を角筒状に折り曲げ、継代片３を反対側の側板２に貼り付けて周壁を形成し、底フラップ４，５を重ね合わせて底面を閉じ、蓋折線８を軸として蓋フラップ７，６を順次内側へ折り曲げて重ね合わせ、粘着テープ等で封緘する。
【００１８】
このとき、側板２の起伏部２ａの張出部分が側板１に当接するので、切込１２が入っていても、側板２の起伏部２ａが箱の内側へ倒れ込むことがなく、側板２から折り曲げた蓋フラップ７の側縁に側板１の上端部内面が当接するので、側板１の起伏部１ａが箱の内側へ倒れ込むこともない。
【００１９】
一方、収納する物品の高さが低い場合や、小さい物品を少量収納する場合等において、低縮包装状態で物品を包装する際には、図３に示すように、上記と同様に周壁を形成して底面を閉じた状態で、まず、側板１の起伏部１ａ及び蓋フラップ６を側折線９を軸として折り曲げ、対向するこれらの部分を重ね合わせる。
【００２０】
次に、図４に示すように、側板２の起伏部２ａ及び蓋フラップ７を側折線９を軸として折り曲げ、対向するこれらの部分を重ね合わせ、側板１の起伏部１ａ及び蓋フラップ６に被せるようにして、粘着テープ等で封緘する。
【００２１】
このような低縮包装状態では、側折線９が両端部で交わり中央部で間隔が広くなるように設けられていることから、側板１，２が反発力を保持しつつ折り曲げられ、縦切目１１の存在により、面取部１０の中央部分に過度の圧縮力が作用することもなく、面取部１０が傾斜した状態となる。
【００２２】
そして、この高さ可変箱では、一旦低縮包装状態とした後、収納する物品の追加等に伴い、通常包装状態で包装しなおす場合においても、側板１，２が側折線９で折り曲げられた状態から復元し、平面となって直立するので、手で矯正することなく、通常包装状態で容易かつ堅固に包装することができる。
【００２３】
また、開封して物品を取り出す際、図５に示すように、蓋フラップ６，７及び側板１，２の起伏部１ａ，２ａを開くと、面取部１０が外側へ傾斜し、物品Ｇと側板１，２との間に隙間ができるので、その隙間から手を入れ、物品を簡単に取り出すことができる。
【００２４】
なお、蓋フラップ６，７を重ねる順序は、段ボールの厚さを考慮しつつ、蓋折線８や切込１２の位置を適宜調整して、変更してもよい。
【００２５】
また、側折線９は、側板１，２の両側端から若干離れた位置で分岐するようにしてもよく、面取部１０が凸レンズ状になるように、弧状に湾曲したものとしてもよい。
【００２６】
さらに、側折線９及び面取部１０は、各側板１，２に、上下方向に間隔をあけて複数段設けてもよく、各一対の側板１，２のうち、いずれか一対のものだけに設けてもよい。
【００２７】
また、切込１２は、通常包装状態での強度向上のため、ミシン目状に繋部を有するものとし、低縮包装状態とする際には、この繋部を切断するようにしてもよい。
【００２８】
そのほか、継代片３は、低縮包装状態での折曲性を向上させるため、側折線９の延長線上に位置する部分を除去するように切り欠いてもよい。
【図面の簡単な説明】
【００２９】
【図１】この発明に係る高さ可変箱のブランクを示す図
【図２】同上の通常包装状態を示す斜視図
【図３】同上の包装過程を示す斜視図
【図４】同上の低縮包装状態を示す斜視図
【図５】同上の開封状態を示す斜視図
【図６】従来の高さ可変箱の通常包装状態を示す斜視図
【図７】同上の低縮包装状態を示す斜視図
【符号の説明】
【００３０】
１，２  側板
１ａ，２ａ  起伏部
３  継代片
４，５  底フラップ
６，７  蓋フラップ
８  蓋折線
９  側折線
１０  面取部
１１  縦切目
１２  切込
【図１】
2009102024.tif 000003
【図２】
2009102024.tif 000004
【図３】
2009102024.tif 000005
【図４】
2009102024.tif 000006
【図５】
2009102024.tif 000007
【図６】
2009102024.tif 000008
【図７】
2009102024.tif 000009